(57)【要約】【課題】情報家電の故障や異常といった表示情報をユーザが簡略かつ早急に確認できる、ホームネットワークシステム、ゲートウェイ、プログラム及びその方法を提供する。【解決手段】情報家電２と、表示部付き情報家電３と、情報家電２及び表示部付き情報家電３と通信可能に接続されたゲートウェイ１を備えるホームネットワークシステム１００であって、ゲートウェイ１は、表示情報を受信する表示情報受信部１１と、表示情報を記憶する表示情報記憶領域２４と、照会信号を受信する照会信号受信部１２と、照会信号に基づき表示情報記憶領域２４から表示情報を抽出する表示情報抽出部１３と、抽出された表示情報を送信する照会結果送信部１４と、を備え、表示部付き情報家電３は、所定のタイミングで表示情報を照会する照会信号を送信し、照会結果として表示情報を受信すると表示情報を表示部６４に表示する制御部６０を備える。【選択図】図２
2010062645.tif 000002
【特許請求の範囲】
【請求項１】
情報家電と、表示部付き情報家電と、前記情報家電及び前記表示部付き情報家電と通信可能に接続されたゲートウェイを備えるホームネットワークシステムであって、
前記ゲートウェイは、
前記情報家電又は前記表示部付き情報家電より送信される表示情報を受信する表示情報受信手段と、
受信した前記表示情報を記憶する表示情報記憶手段と、
前記表示部付き情報家電により送信される照会信号を受信する照会信号受信手段と、
受信した前記照会信号に基づき、前記表示情報記憶手段から前記表示情報を抽出する表示情報抽出手段と、
抽出された前記表示情報を、前記表示部付き情報家電に送信する照会結果送信手段と、
を備え、
前記表示部付き情報家電は、
前記表示情報を表示可能な表示部と、
所定のタイミングで、前記表示情報記憶手段に記憶された前記表示情報を照会する前記照会信号を送信する照会信号送信手段と、
前記ゲートウェイにより送信された前記表示情報を受信する照会結果受信手段と、
受信した前記表示情報を前記表示部に表示する表示情報表示手段と、
を備えるホームネットワークシステム。
【請求項２】
前記表示情報受信手段は、ＧＥＮＡ（ｇｅｎｅｒａｌ  ｅｖｅｎｔ  ｎｏｔｉｆｉｃａｔｉｏｎ  ａｒｃｈｉｔｅｃｔｕｒｅ）プロトコルを用いてデバイス変更通知の情報を受信すること、
を特徴とする請求項１に記載のホームネットワークシステム。
【請求項３】
前記照会信号は、前記照会信号を送信した前記表示部付き情報家電を特定する機器ＩＤを含むこと、
を特徴とする請求項１又は請求項２に記載のホームネットワークシステム。
【請求項４】
前記表示情報抽出手段は、前記照会信号に含まれる前記機器ＩＤに基づき、前記表示情報記憶手段から前記表示情報を抽出すること、
を特徴とする請求項３に記載のホームネットワークシステム。
【請求項５】
前記照会結果送信手段は、抽出された前記表示情報を、前記表示情報を照会した前記表示部付き情報家電に送信すること、
を特徴とする請求項１から請求項４に記載のゲートウェイ。
【請求項６】
情報家電及び表示部付き情報家電が接続されたホームネットワークにおいて、前記情報家電及び前記表示部付き情報家電に対して通信可能に接続されたゲートウェイで実行されるゲートウェイプログラムであって、
前記ゲートウェイは、前記表示部付き情報家電に表示させるための表示情報を記憶する表示情報記憶手段を備え、
前記情報家電又は前記表示部付き情報家電より前記表示情報を受信するステップと、
受信した前記表示情報を記憶するステップと、
前記表示部付き情報家電により送信された照会信号を受信するステップと、
受信した前記照会信号に基づき、前記表示情報記憶手段から前記表示情報を抽出するステップと、
抽出された前記表示情報を、前記表示部付き情報家電に送信するステップと、
を実行させるためのゲートウェイプログラム。
【請求項７】
情報家電及び表示部付き情報家電が接続されたホームネットワークにおいて、前記情報家電及び前記表示部付き情報家電に対して通信可能に接続されたゲートウェイで実行される表示情報送信方法であって、
前記ゲートウェイが、
前記情報家電又は前記表示部付き情報家電より表示情報を受信するステップと、
受信した前記表示情報を記憶するステップと、
前記表示部付き情報家電により送信された照会信号を受信するステップと、
受信した前記照会信号に基づき、記憶した前記表示情報を抽出するステップと、
抽出した前記表示情報を、前記表示部付き情報家電に送信するステップと、
を含む表示情報送信方法。
【発明の詳細な説明】
【技術分野】
【０００１】
本発明は、情報家電と、表示部付き情報家電と、情報家電及び表示部付き情報家電と通信可能に接続されたゲートウェイを備えるホームネットワークシステム、ホームネットワークに接続された情報家電及び表示部付き情報家電の表示情報を表示部付き情報家電に送信するゲートウェイ、プログラム及び表示情報送信方法に関する。
【背景技術】
【０００２】
近年、家庭内に設置される通信機能を備えた情報家電が普及している。そして、ホームネットワークに接続された情報家電の故障や異常といった情報が情報家電の制御端末に送信されて、この制御端末に備えられた操作画面により、これらの情報を表示するホームネットワーク情報家電制御システムが開示されている（例えば、特許文献１）。
【特許文献１】特開２００６−３５２６６６号公報
【発明の開示】
【発明が解決しようとする課題】
【０００３】
ところで、このホームネットワーク情報家電制御システムでは、情報家電の故障や異常といった表示情報が情報家電の制御端末の画面に表示されるので、ユーザが情報家電の表示情報を確認するためには、情報家電の制御端末の画面を都度確認する必要があった。このため、この確認作業が煩雑になり、この結果、ユーザが確認作業を怠り、情報家電の表示情報に対してユーザが気づくまでに時間がかかるおそれがあった。
【０００４】
本発明は、情報家電の故障や異常といった表示情報をユーザが簡略かつ早急に確認できる、優れた技術を提供することを目的とする。
【課題を解決するための手段】
【０００５】
本発明では、以下のような解決手段を提供する。
【０００６】
（１）  情報家電と、表示部付き情報家電と、前記情報家電及び前記表示部付き情報家電と通信可能に接続されたゲートウェイを備えるホームネットワークシステムであって、
前記ゲートウェイは、
前記情報家電又は前記表示部付き情報家電より送信される表示情報を受信する表示情報受信手段と、
受信した前記表示情報を記憶する表示情報記憶手段と、
前記表示部付き情報家電により送信される照会信号を受信する照会信号受信手段と、
受信した前記照会信号に基づき、前記表示情報記憶手段から前記表示情報を抽出する表示情報抽出手段と、
抽出された前記表示情報を、前記表示部付き情報家電に送信する照会結果送信手段と、
を備え、
前記表示部付き情報家電は、
前記表示情報を表示可能な表示部と、
所定のタイミングで、前記表示情報記憶手段に記憶された前記表示情報を照会する前記照会信号を送信する照会信号送信手段と、
前記ゲートウェイにより送信された前記表示情報を受信する照会結果受信手段と、
受信した前記表示情報を前記表示部に表示する表示情報表示手段と、
を備えるホームネットワークシステム。
【０００７】
本発明のこのような構成によれば、ゲートウェイは、表示情報受信手段により、情報家電又は表示部付き情報家電により送信された表示情報を受信し、表示情報記憶手段により、受信した表示情報を記憶することができる。そして、記憶した表示情報を、表示部付き情報家電による照会により、表示部付き情報家電に送信することができる。そして、表示部付き情報家電は、所定のタイミングでゲートウェイに照会情報送信手段により表示情報を照会し、この照会結果をゲートウェイより受信し、表示部に表示することができる。このため、ユーザによる情報家電の表示情報の確認作業が煩雑になることなく、情報家電の表示情報を簡略かつ早急に確認できる。
【０００８】
（２）  前記表示情報受信手段は、ＧＥＮＡ（ｇｅｎｅｒａｌ  ｅｖｅｎｔ  ｎｏｔｉｆｉｃａｔｉｏｎ  ａｒｃｈｉｔｅｃｔｕｒｅ）プロトコルを用いてデバイス変更通知の情報を受信すること、
を特徴とする請求項１に記載のホームネットワークシステム。
【０００９】
本発明のこのような構成によれば、ＧＥＮＡプロトコルを用いて操作信号を受信するので、既存の手法を用いることで、情報家電が表示情報を送信する環境を、簡易に構築することができる。
【００１０】
（３）  前記照会信号は、前記照会信号を送信した前記表示部付き情報家電を特定する機器ＩＤを含むこと、
を特徴とする請求項１又は請求項２に記載のホームネットワークシステム。
【００１１】
本発明のこのような構成によれば、照会信号を送信した表示部付き情報家電を特定することができる。
【００１２】
（４）  前記表示情報抽出手段は、前記照会信号に含まれる前記機器ＩＤに基づき、前記表示情報記憶手段から前記表示情報を抽出すること、
を特徴とする請求項３に記載のホームネットワークシステム。
【００１３】
本発明のこのような構成によれば、機器ＩＤに基づいて、照会信号を送信した表示部付き情報家電に表示する表示情報を抽出することができる。
【００１４】
（５）  前記照会結果送信手段は、抽出された前記表示情報を、前記表示情報を照会した前記表示部付き情報家電に送信すること、
を特徴とする請求項１から請求項４に記載のゲートウェイ。
【００１５】
本発明のこのような構成によれば、照会信号を送信した表示部付き情報家電に対して、当該表示部付き情報家電に表示する表示情報を送信することができる。
【００１６】
（６）  情報家電及び表示部付き情報家電が接続されたホームネットワークにおいて、前記情報家電及び前記表示部付き情報家電に対して通信可能に接続されたゲートウェイで実行されるゲートウェイプログラムであって、
前記ゲートウェイは、前記表示部付き情報家電に表示させるための表示情報を記憶する表示情報記憶手段を備え、
前記情報家電又は前記表示部付き情報家電より前記表示情報を受信するステップと、
受信した前記表示情報を記憶するステップと、
前記表示部付き情報家電により送信された照会信号を受信するステップと、
受信した前記照会信号に基づき、前記表示情報記憶手段から前記表示情報を抽出するステップと、
抽出された前記表示情報を、前記表示部付き情報家電に送信するステップと、
を実行させるためのゲートウェイプログラム。
【００１７】
（７）  情報家電及び表示部付き情報家電が接続されたホームネットワークにおいて、前記情報家電及び前記表示部付き情報家電に対して通信可能に接続されたゲートウェイで実行される表示情報送信方法であって、
前記ゲートウェイが、
前記情報家電又は前記表示部付き情報家電より表示情報を受信するステップと、
受信した前記表示情報を記憶するステップと、
前記表示部付き情報家電により送信された照会信号を受信するステップと、
受信した前記照会信号に基づき、記憶した前記表示情報を抽出するステップと、
抽出した前記表示情報を、前記表示部付き情報家電に送信するステップと、
を含む表示情報送信方法。
【発明の効果】
【００１８】
本発明によれば、ユーザによる情報家電の表示情報の確認作業が煩雑になることなく、簡略かつ早急に確認できる。
【発明を実施するための最良の形態】
【００１９】
以下、本発明を実施するための最良の形態について図を参照しながら説明する。なお、これはあくまでも一例であって、本発明の技術的範囲はこれに限られるものではない。
【００２０】
［ホームネットワークシステムの全体構成］
図１は、ホームネットワークシステム１００の全体構成を示す図である。
【００２１】
ホームネットワークシステム１００は、家屋９のネットワークシステムであって、ゲートウェイ１と、情報家電２と、表示部付き情報家電３と、家庭内ネットワーク５と、により構成される。ゲートウェイ１は、家庭内の無線ＬＡＮ等の家庭内ネットワーク５を介して、情報家電２及び表示部付き情報家電３に通信可能に接続される。
【００２２】
情報家電２とは、ネットワーク接続機能を備え、かつ、ブラウザ機能を備えない家電機器や設備機器をいい、例えば、冷蔵庫２Ａ、オーディオ２Ｂ、電話機２Ｃを含む。これらの情報家電２は、家庭内ネットワーク５を介して、ゲートウェイ１と通信する機能を備える。
【００２３】
表示部付き情報家電３とは、ネットワーク接続機能及びブラウザ機能を有する後述の表示部６４を備えた家電機器や設備機器をいい、例えば、テレビ３Ａ、パーソナルコンピュータ３Ｂを含む。これらの表示部付き情報家電３は、家庭内ネットワーク５を介して、ゲートウェイ１と通信する機能と、表示部６４に情報家電２や表示部付き情報家電３の故障情報といった表示情報を表示するブラウザ機能と、を備える。なお、本実施形態では、テレビ３Ａはブラウザ機能を有する表示部６４として画面８Ａを有する。
【００２４】
情報家電２及び表示部付き情報家電３と、ゲートウェイ１と、を相互に接続する家庭内ネットワーク５は、例えば、ＤＬＮＡ（Ｄｉｇｉｔａｌ  Ｌｉｖｉｎｇ  Ｎｅｔｗｏｒｋ  Ａｌｌｉａｎｃｅ）に準拠した通信を行い、有線でも無線でもよい。より具体的には、ＵＰｎＰ（Ｕｎｉｖｅｒｓａｌ  Ｐｌｕｇ  ａｎｄ  Ｐｌａｙ）の既存のプロトコルの集合体を利用して通信を行う。ＵＰｎＰは、家庭内の情報家電２及び表示部付き情報家電３と、ゲートウェイ１と、をネットワークを通じて接続し、相互に機能を提供しあうための技術仕様である。ＵＰｎＰには、デバイスを発見するプロトコルであるＳＳＤＰ（ｓｉｍｐｌｅ  ｓｅｒｖｉｃｅ  ｄｉｓｃｏｖｅｒｙ  ｐｒｏｔｏｃｏｌ）や、デバイスの状態変更を通知するプロトコルであるＧＥＮＡ（ｇｅｎｅｒａｌ  ｅｖｅｎｔ  ｎｏｔｉｆｉｃａｔｉｏｎ  ａｒｃｈｉｔｅｃｔｕｒｅ）を有する。
【００２５】
［ホームネットワークシステムの各装置の機能構成］
図２は、ホームネットワークシステム１００の各装置の機能構成を示す図である。
【００２６】
ゲートウェイ１は、制御部１０と記憶部２０とを備える。制御部１０は、表示情報受信部１１と、照会信号受信部１２と、表示情報抽出部１３と、照会結果送信部１４と、を備える。また、記憶部２０は、ゲートウェイプログラム２１と、一時記憶領域２２と、家電情報記憶領域２３と、表示情報記憶領域２４と、を備える。ゲートウェイプログラム２１は、制御部１０による各種制御手順や、データ送受信の手順を規定したプログラムである。一時記憶領域２２は、各種処理のために一時的に情報を記憶する領域であり、例えば、電源がオンとなっている情報家電２及び表示部付き情報家電３の情報を記憶する。
【００２７】
家電情報記憶領域２３は、情報家電２及び表示部付き情報家電３を一意に示す機器ＩＤや、製品名といった家電情報に係る情報を記憶する領域であり、具体的には、家電情報テーブル４２が格納されている。表示情報記憶領域２４は、情報家電２及び表示部付き情報家電３の故障や異常といった情報をユーザに知らせるために情報家電２及び表示部付き情報家電３から送信される表示情報を記憶する領域であり、具体的には、表示情報テーブル４４が格納されている。
【００２８】
表示情報受信部１１は、情報家電２又は表示部付き情報家電３が故障したときに情報家電２又は表示部付き情報家電３から送信される表示情報を受信する。照会信号受信部１２は、表示部付き情報家電３により送信される照会信号を受信する。表示情報抽出部１３は、受信した照会信号に基づき、表示情報記憶領域２４から表示情報を抽出する。照会結果送信部１４は、抽出された表示情報を表示部付き情報家電３に送信する。
【００２９】
なお、ゲートウェイ１では、ユーザによる後述の入力装置３８０の操作により、表示情報記憶領域２４に格納されている表示情報テーブル４４の情報が後述の表示装置３６０に表示される。このため、ユーザは、ゲートウェイ１の表示装置３６０を視認して、情報家電２及び表示部付き情報家電３の表示情報を確認できる。
【００３０】
情報家電２は、制御部５０と、記憶部５１と、操作部５２と、通信部５３と、を備える。制御部５０は、ＣＰＵ（Ｃｅｎｔｒａｌ  Ｐｒｏｃｅｓｓｉｎｇ  Ｕｎｉｔ）を有し、情報家電２全体の制御を行う。記憶部５１は、情報家電２を機能させるための各種プログラムを格納するものであり、一時記憶領域をも含む概念である。操作部５２は、ユーザにより情報家電２の操作を行うための、例えばスイッチ、ボタンやレバー等を指す。通信部５３は、家庭内ネットワーク５との通信を行うために用いられる。
【００３１】
表示部付き情報家電３は、制御部６０と、記憶部６１と、操作部６２と、通信部６３と、表示部６４と、を備える。制御部６０は、ＣＰＵ（Ｃｅｎｔｒａｌ  Ｐｒｏｃｅｓｓｉｎｇ  Ｕｎｉｔ）を有し、表示部付き情報家電３全体の制御を行う。記憶部６１は、表示部付き情報家電３を機能させるための各種プログラムを格納するものであり、一時記憶領域をも含む概念である。操作部６２は、ユーザにより表示部付き情報家電３の操作を行うための、例えばスイッチ、ボタンやレバー等を指す。通信部６３は、家庭内ネットワーク５との通信を行うために用いられる。表示部６４は、表示部付き情報家電３の機能に関する表示を行う他に、情報家電２及び表示部付き情報家電３の故障情報といった表示情報の表示を行う。表示部６４は、ブラウン管表示装置（ＣＲＴ）、液晶表示装置（ＬＣＤ）等のディスプレイ装置を含む。
【００３２】
［ゲートウェイ１のハードウェア構成図］
図３は、ゲートウェイ１のハードウェア構成を示す図である。本発明が実施されるサーバは標準的なものでよく、以下に構成の一例を示す。
【００３３】
ゲートウェイ１は、制御部１０を構成するＣＰＵ３１０（マルチプロセッサ構成ではＣＰＵ３２０等複数のＣＰＵが追加されてもよい）、バスライン４９０、通信Ｉ／Ｆ（Ｉ／Ｆ：インターフェイス）３３０、メインメモリ３４０、ＢＩＯＳ（Ｂａｓｉｃ  Ｉｎｐｕｔ  Ｏｕｔｐｕｔ  Ｓｙｓｔｅｍ）３５０、表示装置３６０、Ｉ／Ｏコントローラ３７０、キーボード及びマウス等の入力装置３８０、ハードディスク３９０、光ディスクドライブ４００、並びに半導体メモリ４２０を備える。なお、ハードディスク３９０、光ディスクドライブ４００、並びに半導体メモリ４２０をまとめて記憶部２０と呼ぶ。
【００３４】
制御部１０は、ゲートウェイ１を統括的に制御する部分であり、ハードディスク３９０に記憶された各種プログラムを適宜読み出して実行することにより、上述したハードウェアと協働し、本発明に係る各種機能を実現している。
【００３５】
通信Ｉ／Ｆ３３０は、ゲートウェイ１が、上述した家庭内ネットワーク５を介して情報家電２及び表示部付き情報家電３と情報を送受信する場合のネットワーク・アダプタである。通信Ｉ／Ｆ３３０は、モデム、ケーブル・モデム及びイーサネット（登録商標）・アダプタを含んでよい。
【００３６】
ＢＩＯＳ３５０は、ゲートウェイ１の起動時にＣＰＵ３１０が実行するブートプログラムや、ゲートウェイ１のハードウェアに依存するプログラム等を記録する。
【００３７】
表示装置３６０は、ブラウン管表示装置（ＣＲＴ）、液晶表示装置（ＬＣＤ）等のディスプレイ装置を含む。
【００３８】
Ｉ／Ｏコントローラ３７０には、ハードディスク３９０、光ディスクドライブ４００、及び半導体メモリ４２０等の記憶装置である記憶部２０を接続することができる。
【００３９】
入力装置３８０は、ゲートウェイ１の管理者による入力の受け付けを行うものである。
【００４０】
ハードディスク３９０は、本ハードウェアをゲートウェイ１として機能させるための各種プログラム、本発明の機能を実行するプログラム及び後述するテーブル及びレコードを記憶する。なお、ゲートウェイ１は、外部に別途設けたハードディスク（図示せず）を外部記憶装置として利用することもできる。
【００４１】
光ディスクドライブ４００としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は、各ドライブに対応した光ディスク４１０を使用する。光ディスク４１０から光ディスクドライブ４００によりプログラム又はデータを読み取り、Ｉ／Ｏコントローラ３７０を介してメインメモリ３４０又はハードディスク３９０に提供することもできる。
【００４２】
なお、本発明でいうコンピュータとは、記憶装置、制御部等を備えた情報処理装置をいい、ゲートウェイ１は、制御部１０、記憶部２０等を備えた情報処理装置により構成され、この情報処理装置は、本発明のコンピュータの概念に含まれる。
【００４３】
［表示情報表示処理のフローチャート］
図４は、表示情報表示処理のフローチャートである。また、図５から図７は、図４のフローチャートの説明において適宜説明する。図５は、ＧＥＮＡによるＵＰｎＰのデバイス変更通知の例を示す。図６は、家電情報テーブル４２を示す図である。図７は、表示情報テーブル４４を示す図である。
【００４４】
図４のＳ１００：情報家電２の制御部５０は、情報家電２の故障情報を検出する。
【００４５】
Ｓ１１０：情報家電２の制御部５０は、故障情報を検出することで生じた故障情報の表示情報をゲートウェイ１に送信する。
【００４６】
Ｓ１２０：ゲートウェイ１の表示情報受信部１１は、情報家電２から送信された表示情報を受信する。具体的には、ＵＰｎＰのデバイスの状態変更通知機能（ＧＥＮＡ）に基づき、情報家電２から送信される表示情報を受信する。
【００４７】
ここで、情報家電２から送信される操作信号に関する例を説明する。まず、図５（ａ）では、予めゲートウェイ１は、情報家電２（図５の例では、オーディオ２Ｂ）に対して、ＧＥＮＡの要求信号を送信する。ＧＥＮＡの要求信号には、ゲートウェイ１のＨＴＴＰサーバ情報を指定している（＃１）。これにより、オーディオ２Ｂは、ゲートウェイ１の位置情報を認識できるため、オーディオ２Ｂの内部状態が変更した場合には、変更内容の情報が、ゲートウェイ１に送信される。オーディオ２Ｂは、ＧＥＮＡの要求信号を受信した旨をゲートウェイ１に返信する。
【００４８】
そして、例えば、オーディオ２Ｂにおいて、ユーザが電源をオンにした（操作を行った）場合、図５（ｂ）に示すように、オーディオ２Ｂを一意に示す機器ＩＤ（＃２）と共に、オーディオ２Ｂは、その変更内容の情報としてＧＥＮＡの通知信号をゲートウェイ１に送信する。ゲートウェイ１は、ＧＥＮＡの通信信号を受信した旨を返信する。
【００４９】
図４に戻り、Ｓ１３０：ゲートウェイ１の制御部１０は、受信した表示情報を表示情報記憶領域２４に記憶する。
【００５０】
ここで、家電情報テーブル４２を、図６に基づき説明する。家電情報テーブル４２は、登録ＩＤ４２ａをキーとして、情報家電２及び表示部付き情報家電３に関する情報を格納するテーブルであり、家電情報記憶領域２３に格納されている。
【００５１】
家電情報テーブル４２は、登録ＩＤ４２ａ、機器ＩＤ４２ｂ、家電名称４２ｃ、ブラウザ機能付き表示部４２ｄ、設置場所４２ｅ、表示先登録ＩＤ４２ｆ等を有する。登録ＩＤ４２ａには、情報家電２及び表示部付き情報家電３を一意に示すＩＤである登録ＩＤが格納される。具体的には、情報家電２及び表示部付き情報家電３を家電情報テーブル４２に登録するときに、登録ＩＤが採番されて格納される。機器ＩＤ４２ｂには、情報家電２及び表示部付き情報家電３を一意に示すものであり、情報家電２及び表示部付き情報家電３の製造時に予め採られた識別番号である機器ＩＤが格納される。家電名称４２ｃには、情報家電２及び表示部付き情報家電３の製品名が格納される。
【００５２】
ブラウザ付き表示部４２ｄには、ブラウザ機能付き表示部を家電が有しているか否かの情報が格納される。情報家電２は、ブラウザ機能付き表示部を有さないため、「無」が格納され、表示部付き情報家電３は、ブラウザ機能付き表示部として表示部６４を有するため、「有」が格納される。設置場所４２ｅには、情報家電２及び表示部付き情報家電３の設置場所が格納される。表示先登録ＩＤ４２ｆには、表示情報をどの表示部付き情報家電３に表示するのかが格納される。よって、表示先登録ＩＤ４２ｆに入力する情報は、ブラウザ機能付き表示部が「有」である登録ＩＤから選択される。なお、ブラウザ機能付き表示部４２ｄ、設置場所４２ｅ、表示先登録ＩＤ４２ｆは、図示は省略するがゲートウェイ１の管理画面よりユーザが更新できる。ユーザによる設定ができるようにするためである。
【００５３】
表示情報テーブル４４を、図７に基づき説明する。表示情報テーブル４４は、登録ＩＤ４４ａをキーとして、情報家電２及び表示部付き情報家電３に関する故障や異常といった表示情報を格納するテーブルであり、表示情報記憶領域２４に格納されている。そして、Ｓ１３０により表示情報を受信すると、この受信した表示情報を格納する。
【００５４】
表示情報テーブル４４は、登録ＩＤ４４ａ、家電名称４４ｂ、表示内容４４ｃ、表示先登録ＩＤ４４ｄ、機器ＩＤ４４ｅ、表示確認４４ｆを有する。登録ＩＤ４４ａ、家電名称４４ｂ、及び表示先登録ＩＤ４４ｄには、それぞれ家電情報テーブル４２の登録ＩＤ４２ａ、家電名称４２ｃ、及び表示先登録ＩＤ４２ｆと同じ情報が格納される。表示内容４４ｃには、情報家電２又は表示部付き情報家電３から送信される表示情報、すなわち故障や異常といった情報が格納される。機器ＩＤ４４ｅには、表示先登録ＩＤ４２ｆと同一の家電情報テーブル４２の登録ＩＤ４２ａに応じた機器ＩＤ４２ｂの情報が格納される。表示確認４４ｆには、表示部付き情報家電３により表示された表示情報をユーザが確認したか否かの情報が格納される。表示情報が確認された場合には「済」が格納され、表示されていない場合及び表示情報が確認されていない場合には「未」が格納される。
【００５５】
図４に戻り、Ｓ１４０：表示部付き情報家電３の制御部は、電源がオンになると、表示情報の照会を要求する照会信号をゲートウェイ１に送信する。照会信号には、照会信号を送信した表示部付き情報家電３が特定できるように、機器ＩＤが含まれている。
【００５６】
Ｓ１５０：ゲートウェイ１の照会信号受信部１２は、表示部付き情報家電３から送信された照会信号を受信する。
【００５７】
Ｓ１６０：ゲートウェイの表示情報抽出部１３は、照会信号に含まれる機器ＩＤに基づいて、表示情報記憶領域２４から、照会信号を送信した表示部付き情報家電３の表示部６４に表示する表示情報を抽出する。具体的には、表示情報テーブル４４において、照会信号に含まれる機器ＩＤに応じた機器ＩＤ４４ｅを含むレコードより、登録ＩＤ４４ａ、家電名称４４ｂ、及び表示内容４４ｃを抽出する。
【００５８】
Ｓ１７０：ゲートウェイ１の照会結果送信部１４は、表示情報抽出部１３により抽出された表示情報を表示部付き情報家電３に送信する。具体的には、Ｓ１６０で抽出した、登録ＩＤ４４ａ、家電名称４４ｂ、及び表示内容４４ｃの情報を、照会信号に含まれる機器ＩＤに基づいて、照会信号を送信した表示部付き情報家電３に対して送信する。
【００５９】
Ｓ１８０：表示部付き情報家電３の制御部６０は、ゲートウェイ１から送信された表示情報を受信する。
【００６０】
Ｓ１９０：表示部付き情報家電３の表示部６４は、ブラウザ機能により、ゲートウェイ１から受信した表示情報を表示する。
【００６１】
本実施の形態によれば、ユーザによる情報家電２の故障情報の検出に応じて、情報家電２から故障情報の表示情報が送信されることにより、ゲートウェイ１は、表示情報を表示情報記憶領域２４、すなわち表示情報テーブル４４に記憶する。そして、表示部付き情報家電３の電源がオンされると、表示部付き情報家電３は、ゲートウェイ１に表示情報の照会を行い、ゲートウェイ１より、表示情報を受信する。そして、この受信した表示情報を表示部６４に表示する。このため、ユーザは表示部付き情報家電３により、情報家電２が故障したことを確認できるので、情報家電２の表示情報をゲートウェイ１の表示装置３６０を都度確認する場合に比べて確認作業が軽減される。さらに、表示部付き情報家電３の使用頻度が高い場合には、ユーザが表示部付き情報家電３の表示部を頻繁に視認することとなるので、情報家電２が故障したことを早期に認識できる。
【００６２】
なお、上述では、情報家電２の故障情報の検出に応じて、ゲートウェイ１に情報家電２の故障情報の表示情報を記憶することとしたが、表示部付き情報家電３の故障情報の検出に応じて、ゲートウェイ１に表示部付き情報家電３の故障情報の表示情報を記憶することとしてもよい。また、情報家電２の故障情報の検出に応じて、ゲートウェイ１に情報家電２の故障情報の表示情報を記憶することとしたが、電話機２Ｃの不在着信や、図示は省略するが洗濯機の洗濯完了通知といった故障情報以外の情報を表示情報記憶領域２４に記憶させて、表示部付き情報家電３の表示部６４に表示させるようにしてもよい。また、家電情報テーブル４２において、１つの情報家電２又は表示部付き情報家電３について、複数の表示先登録ＩＤを登録できるようにして、複数の表示部付き情報家電３の表示部６４に表示させるようにしてもよい。
【００６３】
［表示情報の表示例］
図８は、本実施形態に係る表示部付き情報家電３による表示情報の表示例を示す。
【００６４】
図８（ａ）は、表示部付き情報家電３であるテレビ３Ａの電源がオフである場合の例である。この場合には、テレビ３Ａの表示部である画面８Ａに何も表示されていないことが確認できる。
【００６５】
図８（ｂ）は、テレビ３Ａの電源がオンになった場合に、冷蔵庫２Ａの故障の表示情報がテレビ３Ａの表示部である画面８Ａに表示されたときの例である。テレビ３Ａの電源がオンになったことにより、画面８Ａにテレビ３Ａの電源がオンになったときに放送されていた野球の放送に関する画像８Ｂが表示されていると共に、ブラウザ機能により、冷蔵庫２Ａの故障に関する表示内容が示された表示画像８Ｃが表示されていることが確認できる。そして、表示画像８Ｃの下部にＯＫボタン８Ｄが表示されていることが確認できる。ユーザは、図示はしないがテレビ３Ａのリモコンを操作することで、冷蔵庫７Ａに関するメッセージの表示画像８Ｃの下部に表示されているＯＫボタン８Ｄを押下して、表示画像８Ｃに表示されている表示内容を確認したとすることができる。
【００６６】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００６７】
（変形形態）
また、本発明の実施形態では、ＵＰｎＰを利用したものとして説明したが、これに限られない。情報家電２又は表示部付き情報家電３を操作した際等の内部状態に変化が生じた場合に、信号を発信するような同様の機能を有する他の規格を用いてもよい。
【図面の簡単な説明】
【００６８】
【図１】ホームネットワークシステムの全体構成を示す図である。
【図２】ホームネットワークシステムの各装置の機能構成を示す図である。
【図３】ゲートウェイのハードウェア構成を示す図である。
【図４】表示情報表示処理のフローチャートである。
【図５】ＧＥＮＡによるＵＰｎＰのデバイス変更通知の例を示す図である。
【図６】家電情報テーブルを示す図である。
【図７】表示情報テーブルを示す図である。
【図８】表示情報の表示例を示す図である。
【符号の説明】
【００６９】
１      ゲートウェイ
２      情報家電
３      表示部付き情報家電
５      家庭内ネットワーク
１０    制御部
１１    表示情報受信部
１２    照会受付部
１３    表示情報抽出部
１４    照会結果送信部
２０    記憶部
２１    ゲートウェイプログラム
２２    一時記憶領域
２３    家電情報記憶領域
２４    表示情報記憶領域
４２    家電情報テーブル
４４    表示情報テーブル
５０    制御部
５１    記憶部
５２    操作部
５３    通信部
６０    制御部
６１    記憶部
６２    操作部
６３    通信部
６４    表示部
１００  ホームネットワークシステム
【図１】
2010062645.tif 000003
【図２】
2010062645.tif 000004
【図３】
2010062645.tif 000005
【図４】
2010062645.tif 000006
【図５】
2010062645.tif 000007
【図６】
2010062645.tif 000008
【図７】
2010062645.tif 000009
【図８】
2010062645.tif 000010